(57)【特許請求の範囲】
【請求項１】
流体ディスペンサーであって、
流体を収容する貯蔵容器（１）と、抽出・塗布スペース（Ｅ）を含み、
容積が変化可能な流体吸引チャンバー（Ｃ）であって、前記抽出・塗布スペース（Ｅ）の容積が、流体吸引チャンバー（Ｃ）が最小容積を呈するときの最小容積と、流体吸引チャンバー（Ｃ）が最大容積を呈するときの最大容積との間で変化するような流体吸引チャンバー（Ｃ）と、
前記貯蔵容器（１）と前記流体吸引チャンバー（Ｃ）とを流入口（２２）において接続する浸漬チューブ（２４）と、
吸引の段階で、前記流入口（２２）を介して流体を前記貯蔵容器（１）から前記流体吸引チャンバー（Ｃ）に吸引する吸引手段（３１、８）と、
部分的に、前記流体吸引チャンバー（Ｃ）と前記吸引手段（３１、８）とを形作り、かつ、前記抽出・塗布スペース（Ｅ）を形成する抽出・塗布部材（Ｐ）と、
を備え、
前記抽出・塗布部材（Ｐ）は、
ユーザーの手によって把持される把手部材（６）と、
前記把手部材（６）に固定された固定ステム（７）と、
容積が変化する前記抽出・塗布スペース（Ｅ）を形成するため、前記固定ステム（７）にスライド可能に取着されたスライド可能スリーブ（８）と、を備え、
前記抽出・塗布スペース（Ｅ）の容積は、当該抽出・塗布スペースが前記貯蔵容器（１）から離れるに連れて次第に増加すると共に、前記流体が目的の塗布面に塗布されるに連れて減少し、
前記固定ステム（７）に対する前記スライド可能スリーブ（８）のスライドには、いかなる弾性的駆動力も関与せず、
前記スライド可能スリーブ（８）は、前記吸引手段（３１、８）における摩擦力よりも小さな摩擦力で、前記固定ステム（７）に対してスライドし、
前記抽出・塗布スペース（Ｅ）が最大容積を呈するときに、固定ステム（７）の当接部（７４）が、前記スライド可能スリーブ（８）の肩部（８４）に当接して、それ以上固定ステム（７）がスライド可能スリーブ（８）に対して移動できないようになっており、
さらに、前記抽出・塗布スペース（Ｅ）が最小容積を呈するときに、前記スライド可能スリーブ（８）の環状基部（８１）の上端が、前記把手部材（６）に設けられた環状溝部（６５）の底部に当接し、かつ、前記スライド可能スリーブ（８）の下方の開口端（８６）が前記固定ステム（７）の底端部面（７６）と揃っている
ことを特徴とする流体ディスペンサー。
【請求項２】
前記抽出・塗布スペース（Ｅ）は、
前記流体吸引チャンバー（Ｃ）に連通するアプリケーター開口端（８６）と、閉塞端（７６）との間で形成され、前記アプリケーター開口端（８６）と前記閉塞端（７６）は、相対的に移動可能である
ことを特徴とする請求項１に記載の流体ディスペンサー。
【請求項３】
前記スライド可能スリーブ（８）は、前記抽出・塗布スペース（Ｅ）のアプリケーター開口端（８６）を形成し、前記固定ステム（７）は、前記抽出・塗布スペース（Ｅ）の閉塞端（７６）を形成する
ことを特徴とする請求項２に記載の流体ディスペンサー。
【請求項４】
前記スライド可能スリーブ（８）は、前記吸引手段を形成するため、前記貯蔵容器（１）に固定された封止用リップ（３１）内をスライドする
ことを特徴とする請求項１から３までのいずれかに記載の流体ディスペンサー。
【請求項５】
前記スライド可能スリーブ（８）は、前記固定ステム（７）が前記把手部材（６）に固定的に接続される前に、前記固定ステム（７）に外挿される
ことを特徴とする請求項１から４までに記載の流体ディスペンサー。
【請求項６】
前記流体吸引チャンバー（Ｃ）は、前記抽出・塗布部材（Ｐ）が、前記貯蔵容器（１）から分離されたときに、外部に開放される
ことを特徴とする請求項１から５までのいずれかに記載の流体ディスペンサー。
【請求項７】
前記流体吸引チャンバー（Ｃ）は、前記浸漬チューブ（２４）が接続されたシリンダー（２１）を備え、
前記シリンダー（２１）には、前記吸引手段（３１，８）を形成するために、前記抽出・塗布部材（Ｐ）と協働する気密な封止用リップ（３１）が設けられている
ことを特徴とする請求項１から６までのいずれかに記載の流体ディスペンサー。
【発明の詳細な説明】
【技術分野】
【０００１】
本発明は、流体を収納する流体貯蔵容器と、抽出・塗布用のスペースを有し、容積変化可能な流体吸入チャンバーと、貯蔵容器と前記流体吸引チャンバーとを流入口（orifice)でつなぐ浸漬チューブ（dip tube)と、吸引段階で、貯蔵容器から流入口を介して前記チャンバーに流体を吸引する吸引手段と、部分的に流体吸引チャンバーと吸引手段を構成すると共に、抽出・塗布スペースを形作る抽出・塗布部材と、を備える流体ディスペンサーに関する。
【０００２】
本発明の望ましい適用分野は、香水、化粧品、薬剤の分野である。
【背景技術】
【０００３】
従来技術として、すでに公知の特許文献１にはこの種のディスペンサーが記載されている。
このディスペンサーの操作と使用は比較的簡単である。ユーザーは、片手で貯蔵容器を持って、もう一方の手で抽出・塗布部材を移動させる、これにより、貯蔵容器に接続された浸漬チューブを介して計量チャンバー内に流体が吸引される。
【０００４】
計量チャンバーが満たされると、流体アプリケーター内に確保された抽出・塗布スペース内が満たされる。
なお、上記抽出・塗布スペースの容積は、固定されて一定であり、どのような変形も変化もしない。
流体アプリケーターが完全に貯蔵容器から移動されると、貯蔵容器から分離され、計量チャンバーが外部に開放される。流体アプリケーターに確保されていた抽出・塗布スペース内の流体が、ユーザーの皮膚などの塗布面に接触する。
【０００５】
当該流体は、皮膚に連続して軽くはたくようにして塗るか、もしくは、皮膚に接触させた領域を移動させることにより塗布される。
あるいは、抽出・塗布スペースに収納された流体が、表面張力現象によりユーザーの皮膚に次第に移動するようにしてもよい。
当然、そのような抽出・塗布スペースからユーザーの塗布面への移動を可能にするためには、流体が、比較的低い粘性であることが必要となる。
【０００６】
しかし、クリームやジェルのように流体の粘性がより高くなれば、抽出スペースの内壁に付着したままとなって、当該流体の限られた部分のみが塗布面に塗布されるに過ぎないであろう。
従って、抽出・塗布スペースの容積が、固定されて一定である特許文献１に記載のディスペンサーは、クリームやジェルやポマードのような粘性の高い流体の塗布には適さない。
【先行技術文献】
【特許文献】
【０００７】
【特許文献１】フランス出願公開２９２４６９６号
【発明の概要】
【発明が解決しようとする課題】
【０００８】
本発明の目的は、従来技術における上述のような欠点を修復して、従来と同様な原理に基づきつつも、粘性流体の塗布を可能にすることである。
また、本発明の目的は、流体アプリケーターが移動される際に、完全に抽出・塗布スペースが満たされていることを保証すると共に、流体が塗布面に塗布されると、抽出・塗布スペースが完全に空になることを保証することである。
【０００９】
本発明の別の目的は、特に簡単な構造と構成の流体ディスペンサーを確保することである。
さらに本発明の別の目的は、従来技術に係る流体ディスペンサーの使用時の取り扱いを維持することである。
さらに本発明の別の目的は、金属のようなリサイクルしにくい材料の使用を避けることである。
【課題を解決するための手段】
【００１０】
上記目的を達成するため、本発明に係る流体ディスペンサーは、流体を収容する貯蔵容器と、抽出・塗布スペースを含み、容積が変化可能な流体吸引チャンバーであって、前記抽出・塗布スペースの容積が、流体吸引チャンバーが最小容積を呈するときの最小容積と、流体吸引チャンバーが最大容積を呈するときの最大容積との間で変化するような流体吸引チャンバーと、前記貯蔵容器と前記流体吸引チャンバーとを流入口において接続する浸漬チューブと、吸引の段階で、前記流入口を介して流体を前記貯蔵容器から前記流体吸引チャンバーに吸引する吸引手段と、部分的に、前記流体吸引チャンバーと前記吸引手段とを形作り、かつ、前記抽出・塗布スペースを形成する抽出・塗布部材と、を備え、固定ステムに対するスライド可能スリーブのスライドには、いかなる弾性的駆動力も関与しない。
【発明の効果】
【００１１】
したがって、流体ディスペンサーは、金属要素を用いずに、成型された樹脂材料からなる要素から製造できる。
抽出・塗布スペースの容積の変化によって、第１に、吸引手段としての利用が可能となり、第２に、流体を塗布面に塗布するに連れて、次第に空にすることが可能となる。これは、抽出スペースの内容積が固定的な上記の従来技術文献では、対応できない。
【００１２】
また、スライド可能スリーブに弾性駆動力が作用されないため、たとえば皮膚などへの流体製品の塗布が、弾性的な抵抗力に打ち勝つ必要なしに実行できる。その結果、よりスムーズでより感触の良い皮膚への接触性を得ることができる。
抽出・塗布スペースは、吸引チャンバーに連通するアプリケーター開口端と、閉塞端との間で形成され、アプリケーター開口端と閉塞端は、相対的に移動可能であることが有利である。
【００１３】
抽出・塗布スペースの２つの端部の相対的な移動は、様々な方法でなされてもよい。例えば、ピストンのようにスライドすることにより、あるいは、可撓性の要素が弾性変形することによりなされる。
実際的には、前記抽出・塗布部材は、ユーザーの手によって把持される把手部材と、把手部材に固定された固定ステムと、容積が変化する抽出・塗布スペースを形成するため、固定ステムにスライド可能に取着されたスライド可能スリーブとを備える。
【００１４】
これにより、固定ステムは、スライド可能スリーブによって形成されるスライドシリンダー内部を気密に移動するピストンとしての機能を果たす。
前記スライド可能スリーブは、抽出・塗布スペースのアプリケーター開口端を形成し、固定ステムは、抽出・塗布スペースの閉塞端を形成するとしてもよい。
スライド可能スリーブのアプリケーター開口端は、塗布面に接触するための環状の縁の形をしており、抽出・塗布スペースの閉塞端は、アプリケーター開口端の外周縁に対応する外周縁を有する固定ステムの自由端として与えられる。
【００１５】
本発明の他の態様は、前記スライド可能スリーブは、吸引手段を形成するため、貯蔵容器に固定された静止リップ内をスライドすることを特徴とする。
これにより、スライド可能スリーブは、固定ステムと貯蔵容器の静止リップの双方に対する相対的な移動が可能となる。
固定ステムは抽出・塗布スペースを形成するために、スライド可能スリーブ内部のピストンの役目を果たし、スライド可能スリーブは、吸引手段と流体吸引チャンバーを形成するため、静止リップ内部を気密な状態でスライドすることによってピストンの役目を果たす。
【００１６】
本発明の別の特徴は、前記スライド可能スリーブは、前記吸引手段における摩擦力よりも小さな摩擦力で、固定ステムに対してスライドすることである。
これにより、注出・塗布スペースの容積が増加するように固定ステムが、スライド可能スリーブの内部を移動するにも拘わらず、抽出・塗布部材が、貯蔵容器から移動されるとき、スライド可能スリーブは静止リップに対して停止したままである。
【００１７】
抽出・塗布スペースがその最大容積になったとき、スライド可能スリーブが、吸引チャンバーの容積をさらに増加するように、静止リップ内でスライドを開始する。
固定ステムに対するスライド可能スリーブの移動は、バネ手段により駆動されてもよいし、変形例として、弾性駆動力を含まなくてもよい。
本発明の別の有利な態様において、スライド可能スリーブは、抽出・塗布スペースが最大容積になったとき、固定ステムに当接する。
【００１８】
スライド可能スリーブと固定ステムとの当接は、当然抽出・塗布スペースの最大容積を定義し、それは、また、貯蔵容器に固定された静止リップ内のスライド可能スリーブのスライドの開始を意味する。
別の有利な特徴によれば、前記スライド可能スリーブは、抽出・塗布スペースが最小容積を呈するときに、固定ステムおよび/または把手部材に当接する。
【００１９】
流体ディスペンサーの組立方法として、スライド可能スリーブは、固定ステムが把手部材に固定的に接続される前に、固定ステムに外挿される。
これにより、スライド可能スリーブは固定ステムから分離されることはなく、抽出・塗布部材が、確実に一体的なものとなる。
上記従来の特許文献１と同様、吸引チャンバーは、抽出・塗布部材が貯蔵容器から分離されたときに、外部に開放される。
【００２０】
加えて、前記吸引チャンバーは、浸漬チューブが接続されたシリンダーを備え、前記シリンダーには、吸引手段を形成するために、抽出・塗布部材と協働する気密な摺動リップが設けられている。
本発明の趣旨は、流体を充填する段階のみならず、目的の塗布面に流体を塗布する段階でも、抽出・塗布スペースの容積変化させることにある。
【００２１】
そのため、抽出・塗布スペースは、流体が貯蔵容器から移動するに連れて、徐々に増大し、当該流体が所望の塗布面に塗布されるに連れて、徐々に減少する。
それ故、抽出・塗布スペースは、浸漬チューブを介して貯蔵容器に接続された吸引チャンバーに含まれるポンプ室のように動作する。
抽出・塗布スペースの容積は、吸引チャンバーの残余部分の容積が増加する前、あるいは、吸引チャンバーの残余部分の容積が増加した後、または同時に、増加するようにしてもよい。
【００２２】
本発明は、以下、非限定的な例によって本発明の実施の形態を示す図面を参照しながら、十分に説明される。
【図面の簡単な説明】
【００２３】
【図１】本発明の実施の形態に係る流体ディスペンサーの縦断面図である。
【図２】図１における抽出・塗布部材を示す図である。
【図３】貯蔵容器を除いた図１の流体ディスペンサーにおける分解縦断面図である。
【図４】（ａ）〜（ｄ）は、上記の流体ディスペンサーの抽出・塗布スペースを充填する際における異なる段階を示す図である。
【図５】ユーザーの手に流体を塗布した次の段階を示す図である。
【図６】貯蔵容器上の抽出・塗布部材を元に戻す最終の段階を示す図である。
【発明を実施するための形態】
【００２４】
本発明に係る流体ディスペンサーの非限定的な実施の形態を詳細に説明するため、まず、図１〜図３が参照される。
通常、流体ディスペンサーは、本発明に係るディスペンサー部材が装着される流体貯蔵容器を含んでいる。
貯蔵容器１は、本発明では、重要ではなく、それ故、異なる種々の特徴を有していてもよい。貯蔵容器１は、ガラスやプラスチックや金属などどのような材料で形成されていてもよく、また、さまざまな形状を有していてもよい。
【００２５】
典型的には、貯蔵容器１は、流体が収納される容量の大きな本体と、本体内部と外部を連絡する開口を形成するネック部１１とを備える。
本発明のディスペンサー部材は、流体を抽出できるように貯蔵容器１のネック部１１に固定的に、望ましくは恒久的な方法で取着されている。
本発明に係るディスペンサー部材は、２つの別個の組立部品からなる、すなわち、貯蔵容器１に固定される第１の組立部品と、第１の組立部品から分離される抽出・塗布部材Ｐを形成する第２の組立部品とからなる。
【００２６】
図１〜図３の実施例において、貯蔵容器１に固定される第１の組立部品は、貯蔵容器１のネック部１１に、固定的に、望ましくは恒常的であって、気密な状態で取着されるリング２を含んでいる。
リング２は、封止用ワッシャー３、ネックガスケット４、ブロック・カバー用フープ（blocking and covering hoop）５と協働する。
【００２７】
上記４個の部品２，３，４，５が、貯蔵容器１に固定的に取着される第１の組立部品を構成する。
第２の組立部品は、ユーザーの手によって把持される把手部材６と、把手部材６に固定される固定ステム（stem)７と、固定ステム７と摺動して移動可能に係合している摺動可能スリーブ８とを備える抽出・塗布部材Ｐを形成する。
【００２８】
リング２は、下端に、流入口２２が、形成される円筒状のスライドシリンダー２１を備える。この流入口２２は、浸漬チューブ２４が嵌め込まれる連結チューブ２３と連通している。
図示はされていないが、変形例として、浸漬チューブ２４は連結チューブ２３と一体的に形成されていてもよい。
【００２９】
スライドシリンダー２１の流入口２２と反対側の端部には、外側にねじ山が形成されたカラー２５が延設されている。
カラー２５は、その内側で封止用ワッシャー３を支持する。また、封止用ワッシャー３の底側の自由端には、後述する機能を有する封止用リップ３１が形成されている。
カラー２５は、径方向外側に伸びる円板を形成し、当該円板は、貯蔵容器１のネック部１１に係合する固定用スカート２６に接続される。
【００３０】
例えば、固定用スカート２６は、縦長穴で分断された複数枚のタブという形で形成されてもよい。各タブは、１またはそれ以上の数の固定用ヘッドが形成されており、当該固定用ヘッドは、ネック部１１に形成された環状の補強部の下側に係合するようになっている。
この特徴自体は、ディスペンサー部材を貯蔵容器のネック部に固定する典型的な構成である。
【００３１】
固定用スカート２６をネック部１１に係合させた状態で保持するため、通常、ブロック・カバー用フープ（blocking and covering hoop）５が使用される。このブロック・カバー用フープ５は、円筒形状であって、固定用スカート２６を締め付けるようにして、固定用スカート２６の回りに嵌合する。
このような特徴も、固定用スカートをネック部の回りに固定するための典型的な例である。
【００３２】
このようにして、ネックガスケット４は、リング２によって、ネック部１１の環状の上端部に向かって平らになるよう押し付けられる。この特徴もまた典型的なものである。
封止用ワッシャー３は、単にカラー２５内に嵌められるだけでもよいが、望ましくは、封止用ワッシャー３がカラー２５内でモールド成型されるのがよい。
封止用ワッシャー３は、封止用リップ３１にある程度の付勢力を付与するためエラストマー材料で形成されていることとしてもよい。
【００３３】
図示されていないけれど、封止用ワッシャー３とリング２を一体的に成型することも可能である。
また、ネックガスケット４を省略することも可能である。
図示されていないが、それ自身でネック部１１にリング２を固定するだけの強度を有する固定用スカート２６を設ければ、ブロック・カバー用フープ５も省略可能である。
【００３４】
各図に示されるような固定用スカート２６をネック部１１の外側に設けるものではなく、ネック部１１の内側と協働する固定用スカート２６を設ける構成も、また、可能である。
リング２が、貯蔵容器１のネック部１１に取着されると、スライドシリンダー２１はネック部１１の内側に伸びる。そして、貯蔵容器１内の浸漬チューブ２４が貯蔵容器１の底部（不図示）に近接する位置まで伸びる。
【００３５】
スライドシリンダー２１の反対側の端部は、封止用ワッシャー３を受け入れるため大きく開口している。
ネック部１１は、固定用スカート２６とブロック・カバー用フープ５に覆い隠されて外部からは見えない。
抽出・塗布部材Ｐは、第１の組立部品、特にリング２と封止用ワッシャー３と協働するためのものである。
【００３６】
把手部材６は、ユーザーが直接指で把持するための把持部６１を形作る。把持部６１は、さまざまな形状であってもよいが、人間工学的に把持しやすい形状であることが望ましい。
把手部材６には、環状溝部６５によって同軸上に囲まれた、止まり穴６３が穿設されている。
【００３７】
止まり穴６３は、環状溝部６５から小管部６４によって分離されている。
把手部材６の底の端部には、リング２のカラー２５と協働するための内側ねじ山６２が形成されている。
固定ステム７は、把手部材６の止まり穴６３に、固定的に、望ましくは恒久的に係合するアンカーピン（anchor pin）７１を含む。
【００３８】
また、固定ステム７は、アンカーピン７１に接続され、環状肩部７２を有するガイド部７３を形成する。
ガイド部７３は、その底部において当接部７４とピストン部７５を形成している。
なお、環状肩部７２は、アンカーピン７１が完全に止まり穴６３内に嵌合したときに、小管部６４の自由端に当接する。
【００３９】
ガイド部７３は、把手部材６の内側ねじ山６２を越えて大きく下方に突出している。
スライド可能スリーブ８は、固定ステム７の周囲、より正確には、ガイド部７３の周囲に係合している。
スライド可能スリーブ８は、環状溝部６５内部に係合する環状基部８１を含む。
図１と図２において見て取れるように、環状基部８１は、環状溝部６５の底壁に当接するまでせり上がっている。
【００４０】
スライド可能スリーブ８は、環状基部８１より下方に、小管部６４の自由端に当接する、内方肩部８２が形成されている。
スライド可能スリーブ８は、内方肩部８２より下方に、ガイド部８３を形成している。ガイド部８３は、固定ステム７のガイド部７３との間にわずかに隙間を有しており、ガイド部７３に対して摺動する。
【００４１】
スライド可能スリーブ８は、ガイド部８３の下方に別の肩部８４を形成する。
スライド可能スリーブ８は、肩部８４から、底で開口するアプリケーター端部８６によって終了する気密なスライド部８５を形成する。
図１と図２において見て取れるように、固定ステム７の底端部面７６と、スライド可能スリーブ８のアプリケーター端部８６は揃っている。
【００４２】
なお、ピストン部７５は、スライド部８５の内側と気密に接触している。
また、肩部８４は、当接部７４から一定の離れた位置にある。
本発明において、スライド可能スリーブ８は気密な状態で、固定ステム７に沿って、２つの当接位置の間で移動する。すなわち、図１、２に示される位置と、肩部８４が当接部７４に当接するときの位置との間で移動する。
【００４３】
なお、把手部材６、固定ステム７、スライド可能スリーブ８の組立は、最初にスライド可能スリーブ８を固定ステム７に外挿し、次に固定ステム７をハンドル部材６内に嵌合させることによって可能なようになっている。
それ故、力づくで、あるいは、弾性変形を利用して、スライド可能スリーブ８を固定ステム７に対して取り付ける必要はない。
【００４４】
加えて、抽出・塗布部材Ｐは、スライド可能スリーブ８が分離しないことが保証された一体型のユニットを構成する。
図１を見れば分かるように、抽出・塗布部材Ｐは、リング２に装着されている。
把手部材６の内側のねじ山６２は、リング２のねじ切りされたカラー２５に完全にねじ留めされる。
【００４５】
スライド可能スリーブ８は、スライドシリンダー２１の内面に係合し、封止用ワッシャー３の封止用リップ３１と気密な状態で環状に接触している。
したがって、吸引チャンバーＣは、スライドシリンダー２１と、スライド可能スリーブ８および固定ステム７との間に形成される。
吸引チャンバーＣは、流入口２２および浸漬チューブ２４を介して貯蔵容器１と連通している。
【００４６】
図１、２では、吸引チャンバーＣは最小容積の状態である。
図１、２に示される配置は、流体ディスペンサーの休止および貯蔵位置を示すものである。
以下、図４（ａ）〜（ｄ）を参照して、抽出・塗布部材Ｐを移動する第１の動作サイクルを説明する。
【００４７】
図４（ａ）に示すように、把手部材６が、ねじ切りされたカラー２５から螺合を解除され、これにより固定ステム７がスライド可能スリーブ８内で移動するスライド動作が可能となる。
より正確に言えば、固定ステム７がスライド可能スリーブ８内部で移動する間、スライド可能スリーブ８は、スライドシリンダー２１に対して位置が変わらない。
【００４８】
これは、封止用リップ３１とスライド可能スリーブ８間の摩擦力が、スライド可能スリーブ８と固定ステム７の摩擦力よりも大きいことを前提として可能となる。
このような相対的な並行移動に伴い、抽出・塗布スペースＥが、スライド可能スリーブ８内部の固定ステム７の直下に生じる。
抽出・塗布スペースＥは、スライド可能スリーブ８のアプリケーター開口端８６で吸引チャンバーＣに直接連通しているため、吸引チャンバーＣに不可欠な一部分となる。
【００４９】
図４（ｂ）におけるように、把手部材６がさらに移動し、これによって、抽出・塗布スペースＥがさらに増加する。
このとき、スライド可能スリーブ８は、まだ、スライドシリンダー２１に対して停止したままである。
図４（ｂ）において、抽出・塗布スペースＥは、肩部８４が当接部７４に当接したときに、対応する最大容積に到る。
【００５０】
そのときから、さらにハンドル部材６を移動させると、スライド可能スリーブ８がスライドシリンダー２１内部でスライドする。
この様子が、図４（ｃ）に示されている。
たとえ抽出・塗布スペースＥの容積がそれ以上増加しなくても、吸引チャンバーＣの容積は、スライド可能スリーブ８の移動の結果として増加することになる。
【００５１】
吸引チャンバーＣの容積は、スライド可能スリーブ８の底の端部が封止用リップ３１と接触しなくなるまで増加する。この様子は、図４（ｄ）に示されている。
その後、吸引チャンバーＣは、外部に開放される。
しかしながら、抽出・塗布スペースＥには、毛管現象、粘性および表面張力の作用によって、流体が充満したままである。
【００５２】
抽出・塗布スペースＥと吸引チャンバーＣの容積が増加している間、浸漬チューブ２４を介して貯蔵容器１の流体が、抽出・塗布スペースＥと吸引チャンバーＣに吸引される。
スライド可能スリーブ８と封止用リップ３１との協働によって、浸漬チューブ２４を介して貯蔵容器１から流体を汲み上げることを可能にする吸引手段が構成される。
本発明に係る流体ディスペンサーでは、どのような種類の流体でも、収納させることができる。しかし、クリーム、ジェル、ポマードなどの粘性を有する流体に適用されるのが望ましい。
【００５３】
固定ステム７のスライド可能スリーブ８に対する移動により、抽出・塗布スペースＥの容積を変化し、流体を抽出・塗布スペースＥに吸引することを可能にするピストン作用が生じる。
図１におけるように抽出・塗布スペースＥの容積がゼロであっても、図４（ａ）〜図４（ｄ）までに示したよう、抽出・塗布スペースＥの容積が次第に増加し、最終的に最大容積に達する。
【００５４】
抽出・塗布スペースＥは、スライド可能スリーブ８の底の端部であるアプリケーター開放端８６と、固定ステム７の底部端面７６である閉塞端とで定義される。
上記２つの端部は、抽出・塗布スペースＥの容積を変化させるような状態で相対的に移動する。
換言すれば、抽出・塗布スペースＥの容積は、吸引チャンバーＣが最小容積であるときに呈する最小容積と、吸引チャンバーＣが最大容積であるときに呈する最大容積との間で変化する。
【００５５】
一旦、抽出・塗布部材Ｐが、抽出・塗布スペースＥが満杯な状態で、リング２から取り除かれると、スライド可能スリーブ８のアプリケーター開口端８６は、目的の塗布面、すなわちユーザーの皮膚に当てられる。
この様子が図５に示されている。
皮膚に押し付けると、スライド可能スリーブ８が固定ステム７に対して移動し、抽出・塗布スペースＥの容積が減少する。
【００５６】
これによって、内部の流体（クリーム、ジェル）が、ユーザーの皮膚上に押し出される。
流体の塗布は、図６に示されるように、固定ステム７の端部７６が、再びスライド可能スリーブ８のアプリケーター開口端８６に揃えられると終了する。
抽出・塗布部材Ｐは、図１に示す構成に戻すため、リング２内に戻される。
【００５７】
これによって操作の１サイクルが完了する。
なお、抽出・塗布スペースＥの容積は、スライド可能スリーブ８が封止用リップ３１内をスライドする前に増加しているということに留意すべきである。
このような連続的な動作の順序は、第１番目にスライド可能スリーブ８と封止用リップ３１間に存する摩擦力の大きさ、第２番目にスライド可能スリーブ８と固定ステム７間の摩擦力の大きさという順番にすることによりなされる。
【００５８】
これらの摩擦力の大きさを入れ替えることにより、抽出・塗布スペースＥが増加する前に、スライド可能スリーブ８が封止用リップ３１で移動するように、連続的な動作の順序を反対にすることも可能である。
しかしながら、この構成においては、抽出・塗布スペースＥの容積が増加して、吸引により貯蔵容器１から流体が充填されるようにするため、スライド可能スリーブ８が封止用リップ３１から分離する前に、封止用リップ３１内におけるスライド可能スリーブ８のスライド動作を規制する手段を設ける必要がある。
【００５９】
例えば、スライド可能スリーブ８の外形をやや円錐形状にして、封止用リップ３１との摩擦力が、スライド可能スリーブ８が移動するに連れて増加することが想定される。
また、留意すべきは、スライド可能スリーブ８は、弾性力による駆動（例えば、戻しばね）なしに、固定ステム７と封止用リップ３１に対して移動されるということである。
その結果、本発明に係るディスペンサー装置は、いかなる金属を使用せずに作られ、皮膚にソフトでスムーズな接触を提供する。
【００６０】
本発明によれば、流体の充填と放出を促進するように容積が変化する抽出・塗布スペースＥを形作る吸引チャンバーＣを有するディスペンサー装置が得られる。
そして、抽出・塗布スペースＥの完全な充填と完全な放出が確保される。
【図１】
0006343620.tif 000002
【図２】
0006343620.tif 000003
【図３】
0006343620.tif 000004
【図４】
0006343620.tif 000005
【図５】
0006343620.tif 000006
【図６】
0006343620.tif 000007